(57)【特許請求の範囲】
【請求項１】
本体部と、
前記本体部に形成される貫通孔と、
発光面を有する発光部と、を備え、
前記貫通孔を構成する構成面が、前記貫通孔を構成する構成面の一部である内側面と前記発光面とから構成され、
前記本体部は、筐体と、前記筐体の外縁から突出する突出部と、を備え、
前記筐体は、第１面と、前記第１面と対となる第２面と、前記第１面と前記第２面をつなぐ側面と、を有し、
前記突出部は、前記側面に連続して配置され、外側面が該突出部の端部に連続する前記側面に比べて前記筐体の外側に突出して配置され、
前記貫通孔は、
前記第１面側から前記第２面側に貫通し、
前記筐体の内側に窪む内側面である第１内側面と、
前記突出部の内側面であって前記筐体の外側に突出する第２内側面と、を構成面に含む携帯電子機器。
【請求項２】
前記発光部は、前記構成面に、前記発光面に対向して配置される反射部材と、を備える
請求項１に記載の携帯電子機器。
【請求項３】
前記発光面は、
前記構成面の略同一面上に配置される
請求項１又は２に記載の携帯電子機器。
【請求項４】
前記発光面は、
前記構成面のうちの前記発光面以外の面から突出して配置される
請求項１又は２に記載の携帯電子機器。
【請求項５】
前記発光面は、
前記構成面のうちの前記発光面以外の面から窪んだ位置に配置される
請求項１又は２に記載の携帯電子機器。
【請求項６】
前記発光部は、
発光体と、
前記発光面を有する導光体であって、前記発光体からの光を導光すると共に、導光した光を前記発光面から出光させる導光体と、を備える
請求項１から５のいずれかに記載の携帯電子機器。
【請求項７】
前記発光部は、
複数の発光体を有する
請求項１から５のいずれかに記載の携帯電子機器。
【請求項８】
所定のトリガーを受信した場合、前記発光部を構成する前記発光体を発光制御可能に構成される制御部と、を備える
請求項６又は７に記載の携帯電子機器。
【請求項９】
前記発光部とは異なる他の発光部であって、１又は複数の発光体を有する他の発光部を備え、
前記制御部は、前記所定のトリガーを受信した場合、前記他の発光部を構成する発光体を発光制御可能に構成される
請求項８に記載の携帯電子機器。
【請求項１０】
前記発光部を構成する発光体、及び前記他の発光部を構成する発光体のうち、全部又は一部の発光体は、前記発光部及び前記他の発光部の双方に共通の発光体である
請求項９に記載の携帯電子機器。
【請求項１１】
前記他の発光部の近傍に配置される照度センサーと、を備え、
前記制御部は、前記照度センサーにより検出された検出値に基づいて、前記発光部を発光／非発光させる
請求項１０に記載の携帯電子機器。
【請求項１２】
前記突出部は、前記第１面に垂直な方向である厚さ方向における長さが、前記第１内側面に対応する位置における前記筐体の前記厚さ方向における長さよりも短い
請求項１から１１のいずれかに記載の携帯電子機器。
【請求項１３】
前記筐体は、
前記第１面側の第１ケース部材と、
前記第２面側の第２ケース部材と、
前記第１ケース部材と前記第２ケース部材との間に配置される第３ケース部材と、を有し、
前記第１内側面は、前記第１ケース部材、前記第２ケース部材及び前記第３ケース部材にわたって配置され、
前記第２内側面を有する前記突出部は、前記第３ケース部材に配置され、
前記発光面は、前記第３ケース部材に配置される
請求項１２に記載の携帯電子機器。
【請求項１４】
前記突出部は、ストラップ取付部である
請求項１から１３のいずれかに記載の携帯電子機器。
【請求項１５】
前記第１面又は前記第２面における所定方向の一端側に配置される操作部と、を備え、
前記突出部は、前記所定方向において、前記一端側と反対の他端側に配置される
請求項１から１４のいずれかに記載の携帯電子機器。
【請求項１６】
前記貫通孔は、
円筒形状の中空部である
請求項１から１５のいずれかに記載の携帯電子機器。
【請求項１７】
前記貫通孔に少なくとも一部が挿入可能な導光部材と、を有する
請求項１から１６のいずれかに記載の携帯電子機器。
【発明の詳細な説明】
【技術分野】
【０００１】
本発明は、携帯電話機等の携帯電子機器に関する。
【背景技術】
【０００２】
従来、携帯電子機器としての携帯電話機において、発光部を有するタイプが存在する。例えば、このタイプの携帯電話機は、通信部が通信信号を受信した場合に発光する発光部を備える。
そして、ユーザーにおける着信等の認識性を向上させるため、発光部を所定パターンで点滅させる携帯電話機が提案されている（例えば、特許文献１参照）。
【０００３】
しかし、特許文献１の携帯電話機において、屋外のように明るい場所に置かれた場合、発光部から発光された光が見え難い場合があった。
【先行技術文献】
【特許文献】
【０００４】
【特許文献１】特開２００８−０５４１３７号公報
【発明の概要】
【発明が解決しようとする課題】
【０００５】
本発明は、発光部から発光された光をユーザーに認識させやすくした携帯電子機器を提供することを目的とする。
【課題を解決するための手段】
【０００６】
本発明は、本体部と、前記本体部に形成される、凹部、貫通孔、又は溝部と、前記凹部を構成する構成面、貫通孔を構成する構成面、又は前記溝部を構成する構成面に露出して配置される発光面を有する発光部と、を備える携帯電子機器に関する。
【０００７】
また、携帯電子機器において、前記発光面は、前記構成面における一部に形成されることが好ましい。
【０００８】
また、携帯電子機器において、前記発光部は、前記構成面に、前記発光面に対向して配置される反射部材と、を備えることが好ましい。
【０００９】
また、携帯電子機器において、前記発光面は、前記構成面の略同一面上に配置されることが好ましい。
【００１０】
また、携帯電子機器において、前記発光面は、前記構成面から突出して配置されることが好ましい。
【００１１】
また、携帯電子機器において、前記発光面は、前記構成面から窪んだ位置に配置されることが好ましい。
【００１２】
また、携帯電子機器において、前記発光部は、発光体と、前記発光面を有する導光体であって、前記発光体からの光を導光すると共に、導光した光を前記発光面から出光させる導光体と、を備えることが好ましい。
【００１３】
また、携帯電子機器において、前記発光部は、複数の発光体を有することが好ましい。
【００１４】
また、携帯電子機器は、所定のトリガーを受信した場合、前記発光部を構成する前記発光体を発光制御可能に構成される制御部と、を備えることが好ましい。
【００１５】
また、携帯電子機器は、前記発光部とは異なる他の発光部であって、１又は複数の発光体を有する他の発光部を備え、前記制御部は、前記所定のトリガーを受信した場合、前記他の発光部を構成する発光体を発光制御可能に構成されることが好ましい。
【００１６】
また、携帯電子機器において、前記発光部を構成する発光体、及び前記他の発光部を構成する発光体のうち、全部又は一部の発光体は、前記発光部及び前記他の発光部の双方に共通の発光体であることが好ましい。
【００１７】
また、携帯電子機器は、前記他の発光部の近傍に配置される照度センサーと、を備え、前記制御部は、前記照度センサーにより検出された検出値に基づいて、前記発光部を発光／非発光させることが好ましい。
【００１８】
また、携帯電子機器は、貫通孔を有する携帯電子機器であって、前記本体部は、筐体と、前記筐体の外縁から突出する突出部と、を備え、前記筐体は、第１面と、前記第１面と対となる第２面と、前記第１面と前記第２面をつなぐ側面と、を有し、前記突出部は、前記側面に連続して配置され、外側面が該突出部の端部に連続する前記側面に比べて前記筐体の外側に突出して配置され、前記貫通孔は、前記第１面側から前記第２面側に貫通し、前記筐体の内側に窪む第１内側面と、前記突出部の内側面である前記筐体の外側に突出する第２内側面と、を構成面とすることが好ましい。
【００１９】
また、携帯電子機器において、前記突出部は、前記第１面に垂直な方向である厚さ方向における長さが、前記第１内側面に対応する位置における前記筐体の前記厚さ方向における長さよりも短いことが好ましい。
【００２０】
また、携帯電子機器において、前記筐体は、前記第１面側の第１ケース部材と、前記第２面側の第２ケース部材と、前記第１ケース部材と前記第２ケース部材との間に配置される第３ケース部材と、を有し、前記第１内側面は、前記第１ケース部材、前記第２ケース部材及び前記第３ケース部材にわたって配置位置され、前記第２内側面を有する前記突出部は、前記第３ケース部材に配置され、前記発光面は、前記第３ケース部材に配置されることが好ましい。
【００２１】
また、携帯電子機器において、前記突出部は、ストラップ取付部であることが好ましい。
【００２２】
また、携帯電子機器は、前記第１面又は前記第２面における所定方向の一端側に配置される操作部と、を備え、前記突出部は、前記所定方向において、前記一端側と反対の他端側に配置されることが好ましい。
【００２３】
また、携帯電子機器において、前記貫通孔は、円筒形状の中空部であることが好ましい。
【００２４】
また、携帯電子機器は、前記凹部、前記貫通孔、又は前記溝部に少なくとも一部が挿入可能な導光部材と、を有することが好ましい。
【発明の効果】
【００２５】
本発明によれば、発光部から発光された光をユーザーに認識させやすくした携帯電子機器を提供することができる。
【図面の簡単な説明】
【００２６】
【図１】図１は、第１実施形態の携帯電話機１における斜視図である。
【図２】図２は、第１実施形態の携帯電話機１における正面図である。
【図３】図３は、第１実施形態の携帯電話機１における裏面図である。
【図４】図４は、第１実施形態の携帯電話機１における側面図である。
【図５】図５は、図２における領域Ａを示す図である。
【図６】図６は、図１における領域Ａを示す図である。
【図７】図７は、第１実施形態の携帯電話機１における機能ブロック図である。
【図８】図８は、第１実施形態の携帯電話機１における作用を説明するフローチャートである。
【図９Ａ】図９Ａは、発光部が発光した状態の第１実施形態における携帯電話機１の正面図である。
【図９Ｂ】図９Ｂは、発光部が発光した状態の第１実施形態における携帯電話機１の裏面図である。
【図９Ｃ】図９Ｃは、発光部が発光した状態の第１実施形態における携帯電話機１が平面上に載置された状態を示す斜視図である。
【図１０Ａ】図１０Ａは、突出部にストラップを取り付けた状態の第１実施形態における携帯電話機１の正面図である。
【図１０Ｂ】図１０Ｂは、突出部にストラップを取り付けた状態の第１実施形態における携帯電話機１が落下して突出部から床面に衝突した状態を示す図である。
【図１１Ａ】図１１Ａは、第２実施形態における携帯電話機１Ａの斜視図である。
【図１１Ｂ】図１１Ｂは、第３実施形態における携帯電話機１Ｂの斜視図である。
【図１２Ａ】図１２Ａは、第４実施形態における携帯電話機１Ｃの発光部を説明する部分拡大図である。
【図１２Ｂ】図１２Ｂは、第５実施形態における携帯電話機１Ｄの発光部を説明する部分拡大図である。
【図１２Ｃ】図１２Ｃは、第６実施形態における携帯電話機１Ｅの発光部を説明する部分拡大図である。
【図１３】図１３は、第７実施形態における携帯電話機１Ｆの機能ブロック図である。
【図１４】図１４は、第１実施形態における携帯電話機１の貫通孔に第１光透過部材が挿入された状態を説明する図である。
【発明を実施するための形態】
【００２７】
以下、図面を参照して本発明を実施するための形態を説明する。
図１から図６により、第１実施形態における携帯電話機１（携帯電子機器）の構成について説明する。図１は、第１実施形態の携帯電話機１における斜視図である。図２は、第１実施形態の携帯電話機１における正面図である。図３は、第１実施形態の携帯電話機１における裏面図である。図４は、第１実施形態の携帯電話機１における側面図である。図５は、図２における領域Ａを示す図である。図６は、図１における領域Ａを示す図である。
【００２８】
図１から図６に示すように、携帯電話機１は、本体部ＢＤと、本体部ＢＤに配置される貫通孔１００と、貫通孔１００の内側面１００Ａに露出して配置される発光面３２１を有する発光部３００と、を備える。本体部ＢＤは、筐体２と、突出部２００とを備える。
また、具体的には、携帯電話機１は、筐体２と、筐体２における角部に配置される突出部２００と、突出部２００に対応して形成される貫通孔１００と、貫通孔１００における内側面１００Ａの全周にわたって配置される発光面３２１を有する発光部３００と、を有する。貫通孔１００は、後述する窪み部１５０の窪み面である第１内側面１５１と、突出部２００の内側面である第２内側面２０１とにより構成される。貫通孔１００の構成面である内側面１００Ａは、窪み部１５０の第１内側面１５１と、突出部２００の第２内側面２０１とにより構成される。貫通孔１００及び発光部３００については、後に詳述する。
【００２９】
筐体２は、厚さの薄い略直方体である。筐体２は、第１面としての表面２Ａと、第２面としての裏面２Ｂと、側面２Ｃとを有する。
本実施形態において、表面２Ａは、操作時においてユーザーに対向する面であってユーザーからの押圧操作を受ける面である。表面２Ａは、表側の面であり、裏面２Ｂと対をなす面である。
また、裏面２Ｂは、ユーザーの指及び手の平に対向して配置される面である。裏面２Ｂは、ユーザーの指及び手の平に載置される面である。
また、側面２Ｃは、表面２Ａと裏面２Ｂとをつなぐ側面である。側面２Ｃは、後述する窪み部１５０が配置されると共に、突出部２００が連続して配置される面である。
【００３０】
筐体２における表面２Ａ側には、ハードキー群１１と、タッチスクリーンディスプレイ２１と、音入力部２４と、音出力部２５と、着信発光部３５０とが配置される。言い換えると、筐体２における表面２Ａ側には、ハードキー群１１と、タッチスクリーンディスプレイ２１と、マイク用孔部２４ａと、レシーバ用孔部２５ａと、着信発光部３５０とが配置される。
また、筐体２における側面２Ｃには、インターフェース１７と、サイドキー１６と、スライドキー１９とが配置される。言い換えると、筐体２における側面２Ｃには、ＩＦカバー１７ａと、サイドキー１６と、スライドキー１９とが配置される。
【００３１】
ここで、図１から図４に示すように、携帯電話機１は、第１ケース部材２０Ａと、第２ケース部材２０Ｂと、第３ケース部材２０Ｃとを備える。
【００３２】
第１ケース部材２０Ａは、表面２Ａを有するケース部材である。第１ケース部材２０Ａは、上述の通り、ハードキー群１１を構成するハードキー１１ａから１１ｅのキー部材と、タッチスクリーンディスプレイ２１と、を外部に露出可能に構成される。また、第１ケース部材２０Ａは、音入力部２４を構成するマイク用孔部２４ａと、音出力部２５を構成するレシーバ用孔部２５ａとを有する。
また、第１ケース部材２０Ａは、窪み部１５０の一部を構成する窪み部１５０Ａを有する。
また、第１ケース部材２０Ａは、窪み側面である第１内側面１５１の一部を構成する内側面１５１Ａを有する。
【００３３】
第２ケース部材２０Ｂは、裏面２Ｂを有するケース部材である。第２ケース部材２０Ｂは、後述するバッテリー５０をバッテリー収容部５２に収容させるための開口部５１を有する。第２ケース部材２０Ｂには、開口部５１を閉塞するようにバッテリーカバー２０Ｄが取り付けられる。
また、第２ケース部材２０Ｂは、窪み部１５０の一部を構成する窪み部１５０Ｂを有する。
また、第２ケース部材２０Ｂは、第１内側面１５１の一部を構成する内側面１５１Ｂを有する。
【００３４】
第３ケース部材２０Ｃは、第１ケース部材２０Ａと第２ケース部材２０Ｂとの間に配置される。第３ケース部材２０Ｃは、側面２Ｃを有するケースである。
第３ケース部材２０Ｃには、インターフェース１７と、サイドキー１６と、スライドキー１９とが露出して配置される。言い換えると、第３ケース部材２０Ｃには、ＩＦカバー１７ａと、サイドキー１６と、スライドキー１９とが露出して配置される。
第３ケース部材２０Ｃは、後述する突出部２００を有する。
また、第３ケース部材２０Ｃは、後述する窪み部１５０の一部を構成する窪み部１５０Ｃを有する。
また、第３ケース部材２０Ｃは、第１内側面１５１の一部を構成する内側面１５１Ｃを有する。また、第３ケース部材２０Ｃは、第２内側面２０１を有する。
【００３５】
図１及び図２に示すように、操作部としてのハードキー群１１は、筐体２における表面２Ａ側に配置される。ハードキー群１１は、筐体２の長手方向ＹにおけるＹ１側の端部側に配置される。ハードキー群１１は、筐体２の短手方向Ｘに沿って略直線状に配置される。
ハードキー群１１は、ハードキー１１ａと、ハードキー１１ｂと、ハードキー１１ｃと、ハードキー１１ｄと、ハードキー１１ｅと、を有する。各ハードキーは、キー部材と、スイッチ部とを有して構成される。
【００３６】
タッチスクリーンディスプレイ２１は、文字及び図形を表示可能に構成される。タッチスクリーンディスプレイ２１は、所定の機能に対応した文字及び図形等を表示可能に構成される。ここで、図形とは、アイコン、アプリケーションごとに設定された画面等を含む概念である。
【００３７】
タッチスクリーンディスプレイ２１は、ディスプレイ２１Ａと、タッチスクリーン２１Ｂとを有する。
ディスプレイ２１Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２１Ａは、文字及び図形等を表示する。
【００３８】
タッチスクリーン２１Ｂは、タッチスクリーンディスプレイ２１に対する指、又はスタイラスペン等の接触を検出する。タッチスクリーン２１Ｂは、複数の指、又はスタイラスペン等がタッチスクリーンディスプレイ２１に接触した位置を検出することができる。
タッチスクリーン２１Ｂの検出方式は、静電容量方式、抵抗膜方式、表面弾性波方式（又は超音波方式）、赤外線方式、電磁誘導方式、及び荷重検出方式等の任意の方式でよい。
【００３９】
サイドキー１６は、所定の機能における動作がアサインされている。サイドキー１６が押下されて選択された場合、所定の機能においてサイドキー１６にアサインされた動作が実行される。本実施形態において、例えば、サイドキー１６には、キーロック機能の実行動作がアサインされる。
【００４０】
スライドキー１９は、側面に沿って筐体２の長手方向Ｙにスライド移動可能に構成される。スライドキー１９には、位置に応じて所定の機能の起動動作、又は、起動中の機能における所定動作がアサインされる。
【００４１】
コネクタ部としてのインターフェース１７は、筐体２の長手方向Ｙにおける一端であるＹ１側の端部側に配置される。コネクタ部としてのインターフェース１７は、携帯電話機１の長手方向ＹにおけるＹ１側の端部側に配置される。
インターフェース１７は、不使用時には、ＩＦカバー１７ａにより覆われている。
インターフェース１７は、使用時には、例えば、コードの一端に取り付けられた端子が接続される。
【００４２】
音入力部２４は、筐体２における該筐体２の長手方向Ｙにおける一端側に配置される。音入力部２４は、長手方向Ｙにおいて、ハードキー群１１と同じ側の端部であるＹ１側の端部に配置される。音入力部２４は、長手方向Ｙにおいて、ハードキー群１１の外側に配置される。本実施形態において、音入力部２４は、短手方向Ｘの中央部に配置される。
音入力部２４は、表面２Ａに配置されたマイク用孔部２４ａと、筐体２の内部に収容配置される通話用マイク２４ｂとを有する。マイク用孔部２４ａは、通話用マイク２４ｂに対向して配置される。
【００４３】
音出力部２５は、筐体２における該筐体２の長手方向Ｙにおける他端側であるＹ２側に配置される。
音出力部２５は、表面２Ａに配置されたレシーバ用孔部２５ａと、筐体２の内部に配置されるレシーバ２５ｂとを有する。
【００４４】
次いで、携帯電話機１における内部構造について説明する。
本体部ＢＤを構成する筐体２の内部には、通話用マイク２４ｂと、レシーバ２５ｂと、タッチスクリーンディスプレイ２１と、キー構造部（不図示）と、回路基板（不図示）と、アンテナ（不図示）と、バッテリー５０と、が収容配置される。筐体２の内部には、通話用マイク２４ｂと、レシーバ２５ｂと、ディスプレイ２１Ａと、キー構造部（不図示）と、回路基板（不図示）と、アンテナ（不図示）と、バッテリー５０と、が収容配置される。
【００４５】
通話用マイク２４ｂは、筐体２の長手方向Ｙにおけるハードキー群１１側の端部に配置される。通話用マイク２４ｂは、Ｙ１側の端部に配置される。
【００４６】
レシーバ２５ｂは、筐体２の長手方向Ｙにおける通話用マイク２４ｂと反対側のＹ２側の端部側に配置される。レシーバ２５ｂは、筐体２の長手方向Ｙにおけるハードキー群１１側と反対側の端部側に配置される。
【００４７】
ディスプレイ２１Ａは、例えば、液晶パネルと、液晶パネルを駆動する駆動回路と、液晶パネルの背面側から光を照射するバックライト等の光源部とを含んで構成される。
【００４８】
キー構造部は、各ハードキーを構成するキー部材と、キーシートと、各ハードキーを構成するスイッチ部が実装されたキー基板と、を有する。
【００４９】
回路基板は、平板状の基板部と、基板部の表面に実装される電子部品及び各種回路ブロックと、基板部の表面に実装される基準電位パターン層とを有する。
基板部に実装される電子部品は、例えば、アンテナが送受信する信号を処理する信号処理部を含む電子部品等である。また、回路ブロックは、例えば、ＲＦ（Ｒａｄｉｏ  Ｆｒｅｑｕｅｎｃｙ）回路及び電源回路等である。
本実施形態において、回路基板は、長手方向ＹにおけるＹ１側の端部側に偏って配置される。
【００５０】
アンテナは、基台と、基台に上に配置された所定形状のアンテナエレメントとを有して構成される。
アンテナエレメントは、帯状の板金により構成される。アンテナエレメントは、不図示の給電端子を介して回路基板から給電される。これにより、アンテナエレメントは、給電端子を介して回路基板から給電されると共に、回路基板のＲＦモジュール等と接続される。
【００５１】
バッテリー５０は、バッテリー収容部５２に収容配置される。
バッテリー５０は、バッテリー収容部５２に収容配置された状態において、筐体２の長手方向Ｙにおける一端であるＹ１側の端部側に配置される。
バッテリー５０は、他の構成要素に比べて重い構成要素である。このため、本実施形態において、携帯電話機１における重心は、長手方向ＹにおけるＹ１側に偏る。
【００５２】
また、本実施形態において、本体部ＢＤの内部には、後述する発光部３００を構成する発光体３１０及び導光体３２０と、他の発光部である着信発光部３５０を構成する着信発光体３５５とが配置される。
【００５３】
続けて、携帯電話機１における突出部２００及び貫通孔１００について説明する。
図５及び図６に示すように、携帯電話機１は、本体部ＢＤに配置される貫通孔１００を備える。携帯電話機１は、貫通孔１００と、貫通孔１００の内側面１００Ａにおける全周に配置される発光面３２１を有する発光部３００と、を備える。
詳細には、携帯電話機１は、表面２Ａ側から裏面２Ｂ側に貫通する貫通孔１００を有する。
そして、携帯電話機１は、貫通孔１００の内側面１００Ａにおける全周に配置される発光面３２１を有する発光部３００を備える。
【００５４】
貫通孔１００は、本体部ＢＤに形成される。貫通孔１００は、表面２Ａ側から裏面２Ｂ側に貫通する。貫通孔１００は、突出部２００に対応する位置に表面２Ａ側から裏面２Ｂ側に貫通する。貫通孔１００は、筐体２における厚さ方向Ｚにのびるように形成される貫通孔である。本実施形態において、貫通孔１００は、円筒形状の中空部である。
【００５５】
貫通孔１００は、本体部ＢＤにおける角部（表面２Ａ側からみて右上の角部、図１及び図２参照）に形成される。貫通孔１００は、筐体２における角部に形成される。
貫通孔１００は、窪み部１５０と、突出部２００とにより形成される。詳細には、貫通孔１００は、窪み部１５０の窪み側面である第１内側面１５１と、突出部２００の内側面である第２内側面とにより形成される。貫通孔１００は、窪み部１５０の窪み側面である第１内側面１５１と、突出部２００の内側面である第２内側面とを、構成面である内側面とする。
【００５６】
詳細には、貫通孔１００は、第１ケース部材２０Ａに形成される内側面１５１Ａ、第２ケース部材２０Ｂに形成される内側面１５１Ｂ及び第３ケース部材２０Ｃに形成される内側面１５１Ｃと、第３ケース部材２０Ｃに形成される第２内側面２０１と、により形成される。
貫通孔１００は、略直方体の筐体の外側に追加して形成された場合に比べ、筐体の内側にずれた位置に形成されている。
【００５７】
貫通孔１００は、突出部２００に対応する部分が、筐体２に対応する部分に比べて厚さ方向Ｚにおける長さが短く構成される。言い換えると、貫通孔１００は、突出部２００に対応する部分が、筐体２に対応する部分に比べて厚さ方向Ｚにおける厚さが薄く構成される。
【００５８】
貫通孔１００は、構成面としての内側面１００Ａを有する。内側面１００Ａは、窪み部１５０の第１内側面１５１と、突出部２００の第２内側面２０１とにより構成される。
内側面１００Ａには、発光部３００における発光面３２１が全周にわたって外部に露出して配置される。
発光部３００から光が発光されることで、貫通孔１００は、光が発光される空間となると共に、表面２Ａ側の端部及び裏面２Ｂ側の端部から本体部ＢＤの外部に光を出光させる。
【００５９】
窪み部１５０は、筐体２における側面に配置される。具体的には、窪み部１５０は、筐体２における角部（表面２Ａ側からみて右上の角部、図１及び図２参照）に配置される。窪み部１５０は、突出部２００とともに貫通孔１００を形成する。
【００６０】
窪み部１５０は、第１ケース部材２０Ａ、第２ケース部材２０Ｂ及び第３ケース部材２０Ｃにわたって配置される。
窪み部１５０は、第１ケース部材２０Ａの窪み部１５０Ａと、第２ケース部材２０Ｂの窪み部１５０Ｂと、第３ケース部材２０Ｃの窪み部１５０Ｃと、を有する。
【００６１】
窪み部１５０は、表面２Ａに垂直な方向である厚さ方向Ｚにおける長さが、突出部２００の厚さ方向Ｚにおける長さよりも長い。言い換えると、窪み部１５０は、表面２Ａに垂直な方向である厚さ方向Ｚにおける厚さが、突出部２００の厚さ方向Ｚにおける厚さよりも厚い。
【００６２】
窪み部１５０は、筐体２の内側に窪む窪み側面である第１内側面１５１を有する。
第１内側面１５１は、後述する突出部２００の内側面である第２内側面２０１とともに貫通孔１００を形成する。第１内側面１５１は、第２内側面２０１とともに貫通孔１００の内側面１００Ａを形成する。言い換えると、第１内側面１５１は、貫通孔１００の構成面である内側面１００Ａの一部を構成する。
第１内側面１５１は、第１ケース部材２０Ａの内側面１５１Ａと、第２ケース部材２０Ｂも内側面１５１Ｂと、第３ケース部材２０Ｃの内側面１５１Ｃと、を有する。
【００６３】
突出部２００は、窪み部１５０に対応して配置されると共に、筐体２の側面２Ｃに連続して配置される。
突出部２００は、筐体２における角部（表面２Ａ側からみて右上の角部、図１及び図２参照）に配置される。突出部２００は、筐体２における角部から突出して配置される。突出部２００における外側面２０２は、該突出部２００の端部に連続する側面２Ｃに比べて、筐体２の外側に突出して配置される。突出部２００は、窪み部１５０の端部同士をつなぐアーチ状である。突出部２００は、一端から他端まで略同じ幅である。
【００６４】
突出部２００は、第３ケース部材２０Ｃに配置される。
突出部２００は、表面２Ａに垂直な方向である厚さ方向Ｚにおける長さが、窪み部１５０の厚さ方向Ｚにおける長さよりも短い。言い換えると、突出部２００は、表面２Ａに垂直な方向である厚さ方向Ｚにおける厚さが、窪み部１５０の厚さ方向Ｚにおける厚さよりも薄い。
【００６５】
突出部２００は、第１内側面１５１に連続して配置される第２内側面２０１を有する。
第２内側面２０１は、第３ケース部材２０Ｃに配置される。
第２内側面２０１は、第１内側面１５１と連続すると共に、筐体２の外側に突出して配置される。
第２内側面２０１は、窪み部１５０の窪み側面である第１内側面１５１とともに貫通孔１００を形成する。第２内側面２０１は、第１内側面１５１とともに貫通孔１００の内側面１００Ａを形成する。言い換えると、第２内側面２０１は、貫通孔１００の構成面である内側面１００Ａの一部を構成する。
【００６６】
発光部３００は、貫通孔１００の構成面である内側面１００Ａに露出して配置される発光面３２１を有する。発光部３００は、発光面３２１から外部に光を出光可能に配置される。
本実施形態において、発光部３００は、発光体３１０と、環状の導光体３２０と、を備える。
【００６７】
発光体３１０は、出光面３１１を有する。発光体３１０は、出光面３１１から光を出光可能に構成される。発光体３１０は、後述する制御部４１０により発光が制御される。
発光体３１０は、例えば、ＬＥＤ（Ｌｉｇｈｔ  Ｅｍｉｔｔｉｎｇ  Ｄｉｏｄｅ）等により構成される。
【００６８】
導光体３２０は、環状に形成される。導光体３２０は、リング状に形成される。
導光体３２０は、入光面３２２と、発光面３２１とを有する。
入光面３２２は、発光部３１０の出光面３１１に対向して配置される。入光面３２２は、発光部３１０から出光された光を導光体３２０に入光させる。
【００６９】
発光面３２１は、導光体３２０における内面側の部分である。言い換えると、導光体３２０は、発光面３２１を有する。
発光面３２１は、導光体３２０における内側に、環状に形成される。発光面３２１は、導光体３２０の環状における中心に向けて出光するよう、該中心を囲むように配置される。本実施形態において、発光面３２１は、貫通孔１００の内側面１００Ａと略同一面上となるよう配置される。発光面３２１は、貫通孔１００の内側面１００Ａと面一となるよう配置される。
【００７０】
導光体３２０は、発光体３１０からの光を導光すると共に、導光した光を発光面３２１から出光させる。導光体３２０は、入光面３２２から入光された光を環状方向に導光すると共に、発光面３２１から出光させる。導光体３２０は、発光面３２１から貫通孔１００内に光を出光する。導光体３２０は、発光面３２１から貫通孔１００内に光を発光する。
【００７１】
ここで、貫通孔１００は、外部よりも暗い空間を含む。このため、携帯電話機１において、発光部３００から発光された光は、外部から認識しやすい。
また、発光面３２１は、貫通孔１００の内側面１００Ａの全周にわたって配置されている。これにより、ユーザーは、携帯電話機１を表面２Ａ側からみた場合、及び、裏面から見た場合、貫通孔１００をどの角度から見ても発光面３２１又は発光面３２１から出光した光を視認できる。また、ユーザーは、携帯電話機１を側面２Ｃ側から見た場合、貫通孔１００の両端部から出光する光を視認することができる。
【００７２】
続けて、図７により、第１実施形態の携帯電話機１における機能ブロック図を説明する。図７は、第１実施形態の携帯電話機１における機能ブロック図である。
第１実施形態における携帯電話機１は、上述の発光部３００を構成する発光体３１０と、着信発光部３５０を構成する着信発光体３５５と、通信部４００と、制御部４１０と、を備える。
【００７３】
発光体３１０は、発光部３００を構成する発光体である。発光体３１０は、制御部４１０により発光制御される。
後述のように、発光体３１０は、例えば、通信部４００が着呼信号等の所定の通信信号を受信した場合、所定パターンで発光を開始する。そして、発光体３１０は、例えば、通信部４００における呼び出し状態が終了した場合、発光を停止する。
【００７４】
着信発光体３５５は、着信発光部３５０を構成する発光体である。着信発光部３５０は、発光部３００とは異なる他の発光部であって、１又は複数の着信発光体３５５を有する。
着信発光体３５５は、発光体３１０と同様に、制御部４１０により発光制御される。
【００７５】
また、着信発光体３５５は、発光体３１０と同様に、例えば、通信部４００が着呼信号等の所定の通信信号を受信した場合、所定パターンで発光を開始する。そして、着信発光体３５５は、例えば、通信部４００における呼び出し状態が終了した場合、発光を停止する。
【００７６】
通信部４００は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
通信部４００は、外部からの通信信号を受信すると共に、外部に通信信号を送信可能に構成される。
【００７７】
また、通信部４００は、所定のトリガー信号を制御部４１０に出力する。例えば、通信部４００は、着呼信号等の外部からの通信信号を受信した場合、所定のトリガー信号を制御部４１０に出力する。また、通信部４００は、呼び出し状態が終了した場合、所定のトリガー信号を制御部４１０に出力する。呼び出し状態が終了した場合とは、例えば、応答状態に変化した場合、相手先からの終了通知を受信した場合等である。
【００７８】
制御部４１０は、例えば、ＣＰＵ（Ｃｅｎｔｒａｌ  Ｐｒｏｃｅｓｓｉｎｇ  Ｕｎｉｔ）である。制御部４１０は、通信部４００等の他の構成要素が統合されたＳｏＣ（Ｓｙｓｔｅｍ−ｏｎ−ａ−ｃｈｉｐ）等の集積回路であってもよい。制御部４１０は、携帯電話機１の動作を統括的に制御して各種の機能を実現する。
【００７９】
制御部４１０は、発光体３１０における発光を制御する。制御部４１０は、発光体３１０を発光させると共に、発光体３１０における発光を停止させる。制御部４１０は、トリガーとしての所定のトリガー信号を受信した場合、発光部３００を構成する発光体３１０を発光制御可能に構成される。制御部４１０は、所定のトリガー信号を受信した場合、所定の発光パターンで発光するよう発光体３１０を制御する。
【００８０】
制御部４１０は、例えば、通信部４００から着呼信号等の通信信号を受信した場合に出力されたトリガー信号を受信すると、発光体３１０を所定の発光パターンで発光させる。そして、制御部４１０は、通信部４００から呼び出し状態が終了した場合に出力されたトリガー信号を受信すると、発光体３１０の発光を停止させる。
【００８１】
また、制御部４１０は、着信発光体３５５における発光を制御する。制御部４１０は、着信発光体３５５を発光させると共に、着信発光体３５５における発光を停止させる。制御部４１０は、所定のトリガー信号を受信した場合、着信発光部３５０を構成する着信発光体３５５を発光制御可能に構成される。制御部４１０は、所定のトリガー信号を受信した場合、所定の発光パターンで発光するよう着信発光体３５５を制御する。
【００８２】
制御部４１０は、上述と同様に、例えば、通信部４００から着呼信号等の通信信号を受信した場合に出力されたトリガー信号を受信すると、着信発光体３５５を所定の発光パターンで発光させる。そして、制御部４１０は、通信部４００から呼び出し状態が終了した場合に出力されたトリガー信号を受信すると、着信発光体３５５の発光を停止させる。
【００８３】
続けて、図８から図９Ｃにより、第１実施形態における携帯電話機１の作用について説明する。図８は、第１実施形態の携帯電話機１における作用を説明するフローチャートである。図９Ａは、発光部が発光した状態の第１実施形態における携帯電話機１の正面図である。図９Ｂは、発光部が発光した状態の第１実施形態における携帯電話機１の裏面図である。図９Ｃは、発光部が発光した状態の第１実施形態における携帯電話機１が平面上に載置された状態を示す斜視図である。
【００８４】
まず、図８に示すように、ステップＳＴ１において、通信部４００は、外部から通信信号を受信する。具体的には、通信部４００は、通信網を介して他の携帯電子機器から通信信号としての着呼信号を受信する。
そして、通信部４００は、所定のトリガー信号を制御部４１０に出力する。
【００８５】
続けて、ステップＳＴ２において、通信部４００から所定のトリガー信号を受信すると、制御部４１０は、着信発光体３５５を所定の発光パターンで発光させる。これにより、着信発光部３５０は、所定の発光パターンで発光する。
【００８６】
続けて、ステップＳＴ３において、制御部４１０は、同様に、発光体３１０を所定の発光パターンで発光させる。これにより、発光部３００は、所定の発光パターンで発光する。
【００８７】
図９Ａに示すように、ユーザーは、携帯電話機１を表面２Ａ側からみた場合、着信発光部３５０における発光と、発光部３００における発光との双方を視認可能である。
ここで、携帯電話機１における周囲が明るい場合、ユーザーが着信発光部３５０における発光を認識しにくい場合がある。
発光部３００は、外部より暗い空間を含む貫通孔１００内に向けて光を発光する。これにより、ユーザーは、周囲が明るくても発光部３００における発光を認識できる。
上述の通り、携帯電話機１は、発光部３００における発光をユーザーに認識させやすく構成される。
【００８８】
また、図９Ｂに示すように、ユーザーは、携帯電話機１を裏面２Ｂ側からみた場合、発光部３００における発光を視認可能である。
更に、発光部３００は、上述の通り、外部より暗い空間を含む貫通孔１００内に向けて光を発光する。これにより、携帯電話機１における周囲が明るい場合、ユーザーは、周囲が明るくても発光部３００における発光を認識できる。
上述の通り、携帯電話機１は、発光部３００における発光をユーザーに認識させやすく構成される。
【００８９】
また、図９Ｃに示すように、ユーザーは、平面ＦＬ上に載置された携帯電話機１を斜め横からみた場合、着信発光部３５０における発光と、発光部３００における発光との双方を視認可能である。
ユーザーは、発光部３００における発光面３２１からの光を直接に視認する。ここで、発光部３００における発光面３２１は、貫通孔１００の内側面１００Ａの全周に配置されている。そのため、ユーザーは、貫通孔１００を中心にどの角度からみても同様に発光面３２１からの光を直接に視認できる。
【００９０】
また、携帯電話機１の周囲が明るい場合、ユーザーは、着信発光部３５０における発光を認識しにくい場合がある。
発光部３００は、外部より暗い空間を含む貫通孔１００内に向けて光を発光する。これにより、ユーザーは、周囲が明るくても発光部３００における発光を認識できる。
図９Ｃにおいて、発光体３１０から発光された光は、貫通孔１００の表面２Ａ側の端部及び裏面２Ｂ側の端部から外部に出光する。そのため、ユーザーは、発光部３００からの光を好適に認識する。ユーザーは、発光体３１０からの光を好適に認識する。
【００９１】
また、発光部３００から発光された光のうち、貫通孔１００における平面ＦＬ側から出光する光は、平面ＦＬに照射される。そのため、ユーザーは、平面ＦＬ上に照射された光を認識することで、発光部３００から発光された光を認識することもできる。
上述の通り、携帯電話機１は、発光部３００における発光をユーザーに認識させやすく構成される。
【００９２】
続けて、ステップＳＴ４において、制御部４１０は、通信部４００から着信処理が終わったことを示す所定のトリガー信号を受信しない状態（ステップＳＴ４、ＮＯ）において、処理をステップＳＴ４の前に戻す。制御部４１０は、着信発光部３５０の着信発光体３５５、及び発光部３００の発光体３１０の発光を継続させる。
また、制御部４１０は、通信部４００から着信処理が終わったことを示す所定のトリガー信号を受信した場合（ステップＳＴ４、ＹＥＳ）、処理をステップＳＴ５に進める。
【００９３】
続けて、ステップＳＴ５において、制御部４１０は、発光部３００における発光体３１０の発光を停止させる。
続けて、ステップＳＴ６において、制御部４１０は、着信発光体３５５の発光を停止させる。
そして、制御部４１０は、発光制御の処理を終了する。
【００９４】
続けて、図１０Ａ及び図１０Ｂにより、ストラップを取り付けた状態の第１実施形態における携帯電話機１について説明する。
図１０Ａは、突出部にストラップを取り付けた状態の第１実施形態における携帯電話機１の正面図である。図１０Ｂは、突出部にストラップを取り付けた状態の第１実施形態における携帯電話機１が落下して突出部から床面に衝突した状態を示す図である。
【００９５】
図１０Ａに示すように、突出部２００は、ストラップ取付部として機能する。
突出部２００は、ストラップを取り付け可能に構成される。例えば、ユーザーは、ストラップの紐を貫通孔１００の中空空間に挿入して突出部２００に巻き付けるようにして取り付けることで、ストラップを携帯電話機１に取り付けることができる。
ここで、本実施形態において、突出部２００は、筐体２における角部に配置されるので、緩衝機能の面から好適であると共に、ストラップ取付の面からも好適な位置に配置される。
【００９６】
また、本実施形態において、突出部２００は、側面２Ｃから筐体２の外側に突出して配置されると共に、貫通孔１００は、表面２Ａ側から裏面２Ｂ側に貫通する。
これにより、突出部２００及び貫通孔１００は、それぞれ従来よりも大きく構成される。そして、携帯電話機１は、従来に比べて多くのストラップを取付可能に構成される。突出部２００は、ストラップ取付部として好適に機能する。
【００９７】
また、本実施形態において、貫通孔１００は、上述の通り、表面２Ａ側から裏面２Ｂ側に貫通する。これにより、突出部２００に巻き付けるように取り付けられたストラップの紐は、突出部２００の外周に沿ってスムースに移動可能に構成される。これにより、突出部２００は、取り付けられたストラップを表面２Ａ側から裏面２Ｂ側にスムースに移動させることが可能に構成される。突出部２００は、ストラップ取付部として好適に機能する。
【００９８】
また、本実施形態において、突出部２００は、厚さ方向Ｚにおける長さが、窪み部１５０の厚さ方向Ｚにおける長さよりも短い。突出部２００は、厚さ方向Ｚにおける厚さが、窪み部１５０の厚さ方向Ｚにおける厚さよりも薄い。
これにより、取り付けられたストラップは、突出部２００に自然に誘導される。突出部２００は、取り付けられたストラップの紐の部分を一定の位置に集約させる。突出部２００は、ストラップ取付部として好適に機能する。
【００９９】
また、本実施形態において、貫通孔１００は、円筒形状の中空部である。
これにより、携帯電話機１において、突出部２００におけるストラップの取付部分は、長くなる。更に、携帯電話機１において、ストラップの紐を収容する空間は、広くなる。つまり、携帯電話機１は、突出部２００において取付用の紐が重なり合った状態で取り付けられていても該重なり合った取付用の紐を貫通孔１００に収容可能に構成される。これにより、突出部２００は、より多くのストラップを取付可能に構成される。突出部２００は、ストラップ取付部として、より好適に機能する。
【０１００】
また、突出部２００がアーチ状であるので、取り付けられたストラップの紐等がスムースに移動する。これにより、携帯電話機１は、短手方向Ｘ及び長手方向Ｙを含む平面方向において、取り付けられたストラップがスムースに移動可能に構成される。
また、携帯電話機１は、多くのストラップが取り付けられて紐が重なり合った状態でも、貫通孔１００が円筒状であるため、ストラップが上記平面方向においてスムースに移動可能に構成される。突出部２００は、ストラップ取付部として、より好適に機能する。
【０１０１】
また、図１０Ｂに示すように、突出部２００は、緩衝機能部として機能する。
突出部２００は、筐体２の外側に突出しているので、携帯電話機１が落下等した場合に筐体２よりも先に床面又は地面に衝突する。これにより、突出部２００は、筐体２への衝撃を緩和する緩衝機能部として機能する。
【０１０２】
本実施形態において、突出部２００は、筐体２における角部から突出して配置されている。これにより、突出部２００は、筐体２から最も突出すると共に、２つの側面から突出している。これにより、突出部２００は、落下時に先に床面又は地面に筐体２よりも先に衝突して、緩衝機能部として好適に機能する。
【０１０３】
また、本実施形態において、突出部２００は、アーチ状である。突出部２００における外側面２０２は、曲面状である。
これにより、突出部２００は、床面等との衝突時において一箇所に強い力が加わることを回避すると共に、加えられた衝撃を分散するように構成される。これにより、突出部２００は、緩衝機能部として好適に機能する。
【０１０４】
また、本実施形態において、突出部２００における筐体２側には、貫通孔１００が配置されている。
これにより、突出部２００が変形した場合でも、貫通孔１００があるので、変形した突出部２００が筐体２に損傷等を与えることが抑制される。
また、貫通孔１００があるので、突出部２００に強い衝撃が加えられた場合でも、直接的に筐体２に衝撃が伝達されることが抑制される。
突出部２００は、貫通孔１００と共に緩衝機能部として好適に機能する。
【０１０５】
また、本実施形態において、貫通孔１００は、円筒状に中空部である。
これにより、突出部２００における第２内側面２０１も円筒状等の曲面状であるので、突出部２００は、外部からの衝撃によって破損しにくいように構成される。
突出部２００は、緩衝機能部として機能すると共に、衝撃による破損を抑制可能に構成される。
【０１０６】
ここで、突出部２００は、全部又は一部が弾性部材により構成されていてもよい。
この場合、突出部２００は、緩衝機能部として、より好適に機能する。
【０１０７】
ここで、本実施形態において、上述の通り、携帯電話機１は、突出部２００に多くのストラップを取付可能に構成される。そして、突出部２００に多くのストラップが取り付けられた携帯電話機１は、落下時において突出部２００側から床面又は地面に落下やすくなる。
突出部２００は、多くのストラップが取り付けられることで、携帯電話機１が落下した場合に、該突出部２００を先に床面又は地面に衝突させるよう誘導する機能を奏する。
突出部２００は、効果的に緩衝機能を奏するように誘導する誘導機能部として機能する。
【０１０８】
ここで、本実施形態において、突出部２００は、長手方向Ｙにおいて、バッテリー５０側の端部であるＹ１側の端部と反対側の端部であるＹ２側の端部側に配置される。これにより、従来であればバッテリー５０側の端部側であるＹ１側から床面又は地面に落下していたが、突出部２００に複数のストラップが取り付けられることで、携帯電話機１が緩衝機能部である突出部２００側であるＹ２側から床面又は地面に落下する場合が増える。突出部２００は、効果的に緩衝機能を奏するように誘導する誘導機能部として機能する。
【０１０９】
また、本実施形態において、携帯電話機１は、表面２Ａにおける長手方向Ｙの一端側であるＹ１側に配置される操作部としてのハードキー群１１と、を備える。そして、突出部２００は、長手方向Ｙにおいて、一端側であるＹ１側と反対の他端側であるＹ２側に配置される。
携帯電話機１は、ユーザーに把持される端部側であるＹ１側と反対側の端部側であるＹ２側に突出部２００を有する。これにより、携帯電話機１は、ユーザーが操作している際に手から落下した場合、落下時に下側を向いて先に床面又は地面に衝突する端部側であるＹ２側に突出部２００を有するので、より緩衝機能に優れる。
【０１１０】
また、本実施形態によれば、筐体２の長手方向Ｙにおける一端側であるＹ１側に配置されるコネクタ部としてのインターフェース１７と、を備える。そして、突出部２００は、長手方向Ｙにおいて一端側であるＹ１側と反対の他端側であるＹ２側に配置される。
携帯電話機１は、インターフェース１７にコード部材としてのコード付きの端子が挿入されると共に、ユーザーがコードを掴んだ状態で落下した場合、突出部２００側であるＹ２側の端部側から落下する。携帯電話機１は、落下時に下側を向いて先に床面又は地面に衝突する端部側であるＹ２側に突出部２００を有するので、より緩衝機能に優れる。
【０１１１】
本実施形態によれば、発光部から発光された光をユーザーに認識させやすくした携帯電子機器を提供することができる。また、本実施形態によれば、緩衝機能を有する携帯電子機器を提供することができる。
【０１１２】
本実施形態によれば、携帯電話機１は、本体部ＢＤと、本体部ＢＤに配置される貫通孔１００と、貫通孔１００の内側面１００Ａに露出して配置される発光面３２１を有する発光部３００と、を備える。
携帯電話機１は、暗い空間を有する貫通孔１００の内部で発光する。これにより、携帯電話機１は、発光した光をユーザーに認識させやすく構成される。特に、携帯電話機１は、周囲が明るい場合、発光した光をユーザーに認識させやすく構成される。
【０１１３】
携帯電話機１は、発光部３００から発光された光を貫通孔１００の表面２Ａ側の端部及び裏面２Ｂ側の端部から出光させる。これにより、携帯電話機１は、どちらの面がユーザーに向いていても、発光部３００から発光した光をユーザーに認識させることが可能に構成される。携帯電話機１は、発光した光をユーザーに認識させやすく構成される。
また、貫通孔１００が突出部２００に対応して配置されるので、貫通孔１００は、外側に突出して配置される。これにより、携帯電話機１は、発光した光をユーザーに認識させやすく構成される。
【０１１４】
また、携帯電話機１が机上等の平面上に載置された状態で、発光部３００から発光された光であって貫通孔１００の端部から出光した光は、平面上に照射される。これにより、携帯電話機１は、平面上に照射された光をユーザーに認識させることができる。携帯電話機１は、発光した光をユーザーに認識させやすく構成される。
【０１１５】
また、携帯電話機１において、発光面３２１は、貫通孔１００の内側面１００Ａに沿って配置される。
これにより、携帯電話機１は、発光部３００を本体部ＢＤから突出させることなく、多い方向に光を発光できる。
【０１１６】
また、これにより、携帯電話機１は、発光面３２１の面積を大きくできる。携帯電話機１は、発光した光をユーザーに認識させやすく構成される。
【０１１７】
また、本実施形態によれば、発光面３２１は、内側面１００Ａの内周における全周に配置される。
これにより、携帯電話機１は、発光部３００を本体部ＢＤから突出させることなく、全方向に光を発光できる。携帯電話機１は、発光した光をユーザーに認識させやすく構成される。
また、これにより、携帯電話機１は、発光面３２１の面積を大きくできる。
また、これにより、携帯電話機１は、ユーザーが貫通孔１００を中心にどの角度からみても同様に発光面３２１からの光を直接に視認できるよう構成される。
携帯電話機１は、発光した光をユーザーに認識させやすく構成される。
【０１１８】
また、本実施形態によれば、発光面３２１は、内側面１００Ａと略同一面上に配置される。
これにより、発光面３２１は、発光体３１０が発光していない状態では、違和感無く貫通孔１００における内側面１００Ａの一部を構成し、発光体３１０が発光した状態では、発光をユーザーに認識させる。
【０１１９】
また、本実施形態によれば、発光部３００は、発光体３１０と、発光面３２１を有する導光体３２０であって、発光体３１０からの光を導光すると共に、導光した光を発光面３２１から出光させる導光体３２０と、を備える。
これにより、携帯電話機１は、一の発光体のみで広い発光面から光を出光させる。これにより、携帯電話機１は、使用される部品数を少なくすることが可能に構成される。携帯電話機１は、製造コストが低減される。
また、携帯電話機１は、発光体３１０の位置を自由に設定できる。携帯電話機１は、設計上の自由度が高く構成される。
【０１２０】
また、本実施形態によれば、携帯電話機１は、所定のトリガー信号を受信した場合、発光部３００を構成する発光体３１０を発光制御可能に構成される制御部と、を備える。
これにより、携帯電話機１は、所定のイベントが発生した場合に発光部３００を所定の発光パターンで発光させることができる。例えば、携帯電話機１は、通信部４００が通信信号を受信すると、発光部３００を所定の発光パターンで発光させる。そして、発光部３００は周囲に比べて暗い貫通孔１００内で発光するので、ユーザーは、発光部３００における発光を好適に認識する。携帯電話機１は、ユーザーに対する着信通知機能を好適に発揮するよう構成される。
【０１２１】
また、本実施形態によれば、携帯電話機１は、発光部３００とは異なる他の発光部であって、１又は複数の発光体を有する着信発光部３５０を備え、制御部４１０は、所定のトリガー信号を受信した場合、着信発光部３５０を構成する着信発光体３５５を発光制御可能に構成される。
これにより、携帯電話機１は、例えば、通信部４００が通信信号を受信した場合、発光部３００だけでなく、着信発光部３５０も発光させることが可能である。これにより、携帯電話機１は、ユーザーに対する通知機能をより好適に発揮するよう構成される。
【０１２２】
本実施形態において、突出部２００は、筐体２から外側に突出して配置される。これにより、突出部２００は、緩衝機能部として機能する。
また、貫通孔１００は、突出部２００と筐体２との間に配置されるので、突出部２００における緩衝機能をより向上させる。
【０１２３】
また、本実施形態において、突出部２００は、ストラップ取付部として機能する。
そして、携帯電話機１において、突出部２００は、筐体２の外側に突出し、貫通孔１００は、表面２Ａ側から裏面２Ｂ側に貫通するので、ストラップ取付部としての突出部２００を大きくすることができると共に、ストラップの取付紐を通す孔部である貫通孔１００を大きくすることができる。これにより、携帯電話機１は、多くのストラップを取り付け可能に構成される。また、携帯電話機１は、キーホルダー等も取付可能である。
【０１２４】
また、本実施形態において、貫通孔１００は、表面２Ａ側から裏面２Ｂ側に貫通する。これにより、携帯電話機１は、突出部２００に巻き付けるように取り付けられたストラップの紐が突出部２００の外周に沿ってスムースに移動可能に構成される。これにより、携帯電話機１は、突出部２００に取り付けられたストラップを表面２Ａ側から裏面２Ｂ側にスムースに移動させることが可能に構成される。また、これにより、携帯電話機１は、操作中にストラップが邪魔ならず、ストラップが取り付けられた状態における操作性が向上される。
【０１２５】
また、本実施形態において、突出部２００は、効果的に緩衝機能を奏するように誘導する誘導機能部として機能する。
本実施形態において、上述の通り、携帯電話機１は、突出部２００に多くのストラップを取付可能に構成される。そして、突出部２００に多くのストラップが取り付けられた携帯電話機１は、落下時において突出部２００側から床面又は地面に落下やすくなる。
突出部２００は、多くのストラップが取り付けられることで、携帯電話機１が落下した場合に、該突出部２００を先に床面又は地面に衝突させるよう誘導する機能を奏する。
【０１２６】
また、本実施形態において、貫通孔１００の構成面である内側面１００Ａの一部は、筐体２の内側に窪む窪み部１５０により形成される。
これにより、携帯電話機１は、小型化されている。携帯電話機１は、省スペース化可能に構成される。
【０１２７】
また、本実施形態において、筐体２は、厚さの薄い略直方体である。窪み部１５０は、筐体２における角部に配置される。突出部２００は、筐体２における角部に配置される。突出部２００は、緩衝機能部としても、ストラップ取付部としても好適な位置に配置されている。携帯電話機１は、緩衝機能に優れると共に、ストラップの取り付け性に優れる。
【０１２８】
また、本実施形態において、突出部２００は、全部又は一部が弾性部材により構成される。
これにより、突出部２００は、緩衝機能部として好適に機能する。携帯電話機１は、より緩衝機能に優れる。
【０１２９】
また、本実施形態において、突出部２００は、厚さ方向Ｚにおける長さが、窪み部１５０の厚さ方向Ｚにおける長さよりも短い。突出部２００における第２内側面２０１は、厚さ方向Ｚにおける長さが、窪み部１５０における第１内側面１５１の厚さ方向Ｚにおける長さよりも短い。
これにより、取り付けられたストラップは、突出部２００に自然に誘導される。携帯電話機１は、ストラップの紐、又はストラップ自体が筐体２側に近づきすぎることを規制するよう構成される。これにより、携帯電話機１は、取り付けられたストラップの紐の部分を一定の位置に集約させる。
また、携帯電話機１は、筐体２側に発光体３１０を配置するよう構成されることで、突出部２００における厚さ方向Ｚの長さを短くすることができる。ここで、本実施形態において、携帯電話機１は、導光体３２０を用いることで、突出部２００における厚さ方向Ｚにおける長さを短くすると共に、十分な発光を達成している。
【０１３０】
また、本実施形態において、筐体２は、表面２Ａ側の第１ケース部材２０Ａと、裏面２Ｂ側の第２ケース部材２０Ｂと、第１ケース部材２０Ａと第２ケース部材２０Ｂとの間に配置される第３ケース部材２０Ｃと、を有する。窪み部１５０は、第１ケース部材２０Ａ、第２ケース部材２０Ｂ及び第３ケース部材２０Ｃにわたって配置される。突出部２００は、第３ケース部材２０Ｃに配置される。
これにより、携帯電話機１は、簡易に、突出部２００における厚さ方向Ｚの長さを、窪み部１５０における厚さ方向Ｚの長さよりも短くすることができる。
また、携帯電話機１は、一体的なケース部材に、窪み部よりも厚さの薄い突出部を形成する場合に比べて、製造上の負担が少なく製造可能に構成される。
また、携帯電話機１は、第３ケース部材２０Ｃのみの設計を変更することで、突出部の大きさ及び形状を簡易に変更可能に構成される。携帯電話機１は、設計上の自由度が高い。
【０１３１】
また、本実施形態において、第１内側面１５１は、第１ケース部材２０Ａ、第２ケース部材２０Ｂ及び第３ケース部材２０Ｃにわたって配置される。
発光面３２１は、第３ケース部材２０Ｃに配置される。
これより、携帯電話機１は、発光面３２１を第３ケース部材２０Ｃのみに配置すればよいので、製造負担を低減可能に構成される。
【０１３２】
また、本実施形態において、貫通孔１００は、円筒形状の中空部である。
これにより、携帯電話機１において、突出部２００におけるストラップの取付部分は、長くなる。更に、携帯電話機１において、ストラップの紐を収容する空間は、広くなる。つまり、携帯電話機１は、突出部２００において取付用の紐が重なり合った状態で取り付けられていても該重なり合った取付用の紐を貫通孔１００に収容可能に構成される。これにより、携帯電話機１は、より多くのストラップを取付可能に構成される。
【０１３３】
また、突出部２００に取り付けられたストラップの紐等がスムースに移動するので、携帯電話機１は、短手方向Ｘ及び長手方向Ｙを含む平面方向において、取り付けられたストラップがスムースに移動可能に構成される。
また、携帯電話機１は、多くのストラップが取り付けられて紐が重なり合った状態でも、貫通孔１００が円筒状であるため、ストラップが上記平面方向においてスムースに移動可能に構成される。
また、貫通孔１００が円筒状であるので、突出部２００における緩衝機能も向上される。
【０１３４】
また、本実施形態において、携帯電話機１は、筐体２における長手方向Ｙの一端側であるＹ１側に配置されるバッテリー部材と、を備える。そして、突出部２００は、長手方向Ｙにおいて一端側であるＹ１と反対の他端側であるＹ２側の端部に配置される。
これにより、携帯電話機１は、Ｙ２側の端部側に配置された突出部２００にストラップが取り付けられることで、落下時においてＹ２側の端部に配置される突出部２００から床面又は地面に衝突する可能性が向上するよう構成される。例えば、本実施形態のように、重要な電子部品が実装された回路基板が質量の大きいバッテリーと同じＹ１側の端部側に配置されている場合、携帯電話機１は、Ｙ１側の端部から床面又は地面に落下して重要な電子部品等が故障することを抑制可能に構成される。上述の通り、突出部２００は、多くのストラップを取り付け可能に構成されると共に、多くのストラップが取り付けられた状態で、突出部２００から先に床面又は地面に衝突するよう誘導する誘導機能部として機能する。この場合、床面又は地面に衝突した衝撃が突出部２００により緩和されるので、重要な電子部品等の破損が更に抑制されるので、より好ましい。
【０１３５】
また、本実施形態において、携帯電話機１は、表面２Ａにおける長手方向Ｙの一端側であるＹ１側に配置される操作部としてのハードキー群１１と、を備える。そして、突出部２００は、長手方向Ｙにおいて、一端側であるＹ１側と反対の他端側であるＹ２側に配置される。
携帯電話機１は、ユーザーに把持される端部側であるＹ１側と反対側の端部側であるＹ２側に突出部２００を有する。これにより、携帯電話機１は、ユーザーが操作している際に手から落下した場合、落下時に下側を向いて先に床面又は地面に衝突する端部側であるＹ２側に突出部２００を有するので、より緩衝機能に優れる。
【０１３６】
また、本実施形態によれば、携帯電話機１は、筐体２の長手方向Ｙにおける一端側（Ｙ１側）に配置されるコネクタ部としてのインターフェース１７と、を備える。そして、突出部２００は、長手方向Ｙにおいて一端側であるＹ１側と反対の他端側であるＹ２側に配置される。
携帯電話機１は、インターフェース１７にコード部材であるコード付きの端子が挿入されると共に、ユーザーがコードを掴んだ状態で落下した場合、Ｙ２側の端部側である突出部２００側から落下する。携帯電話機１は、落下時に下側を向いて先に床面である地面に衝突する端部側であるＹ２側に突出部２００を有するので、より緩衝機能に優れる。
【０１３７】
また、本実施形態によれば、インターフェース１７に端子が接続された状態において、貫通孔１００には、端子から延出するコードが挿通される。
これにより、携帯電話機１は、インターフェース１７に端子が接続された状態において邪魔になるコードを好適に収容可能に構成される。
【０１３８】
続けて、図１１Ａ及び図１１Ｂにより、第２実施形態における携帯電話機１Ａ、及び第３実施形態における携帯電話機１Ｂについて説明する。
図１１Ａは、第２実施形態における携帯電話機１Ａの斜視図である。図１１Ｂは、第３実施形態における携帯電話機１Ｂの斜視図である。
【０１３９】
第２実施形態における携帯電話機１Ａは、第１実施形態における貫通孔１００ではなく、凹部１３０を備える。
第３実施形態における携帯電話機１Ｂは、第１実施形態における貫通孔１００ではなく、溝部としての側面溝部１４０を備える。
【０１４０】
図１１Ａに示すように、第２実施形態における携帯電話機１Ａは、筐体２における角部に配置される凹部１３０と、凹部１３０の構成面である内側面１３０Ａに露出して配置される発光面３２１Ａを有する発光部３００Ａと、を備える。
凹部１３０は、貫通孔１００と同様に、周囲より暗い空間を有するので、携帯電話機１Ａは、発光部３００Ａから発光された光をユーザーに認識させやすく構成される。
【０１４１】
図１１Ｂに示すように、第３実施形態における携帯電話機１Ｂは、筐体２における外縁に形成される側面溝部１４０と、側面溝部１４０の内側面１４０Ａに露出して配置される発光面３２１Ｂを有する発光部３００Ｂと、を備える。ここで、言い換えると、側面溝部１４０は、側面２Ｃに形成される。
側面溝部１４０は、貫通孔１００と同様に、周囲より暗い空間を有するので、携帯電話機１Ｂは、発光部３００Ａから発光された光をユーザーが認識させやすく構成される。
【０１４２】
また、側面溝部１４０は、側面２Ｃ側が開口している。ユーザーは、携帯電話機１Ｂを側面からみた場合、発光面３２１Ｂからの直接光を視認することができる。これにより、携帯電話機１Ｂは、発光部３００Ｂから発光された光をユーザーに認識させやすく構成される。
【０１４３】
続けて、図１２Ａから図１２Ｃにより、第４実施形態から第６実施形態における携帯電話機１Ｃ、携帯電話機１Ｄ及び携帯電話機１Ｅついて説明する。
図１２Ａは、第４実施形態における携帯電話機１Ｃの発光部を説明する部分拡大図である。図１２Ｂは、第５実施形態における携帯電話機１Ｄの発光部を説明する部分拡大図である。図１２Ｃは、第６実施形態における携帯電話機１Ｅの発光部を説明する部分拡大図である。
【０１４４】
第４実施形態における携帯電話機１Ｃは、第１実施形態における発光部３００ではなく、反射部材５００を有する発光部３００Ｃを備える。
第５実施形態における携帯電話機１Ｄは、第１実施形態における発光部３００ではなく、複数の発光体３１０ａからｉを有する発光部３００Ｄを備える。
第６実施形態における携帯電話機１Ｅは、第１実施形態における発光部３００及び着信発光部３５０ではなく、共通の発光体３１０を有する発光部３００Ｅ及び着信発光部３５０Ｅを備える。
【０１４５】
図１２Ａに示すように、第４実施形態における携帯電話機１Ｃは、発光部３００Ｃを備える。
発光部３００Ｃは、発光体３１０と、導光体３２０Ｃと、反射部材５００と、を備える。
【０１４６】
導光体３２０は、貫通孔１００における内周の一部に対応する領域に配置される。導光体３２０は、貫通孔１００の内周における筐体２側の半分の領域に配置される。
発光面３２１Ｃは、内側面１００Ａの内周における一部に配置される。
【０１４７】
反射部材５００は、貫通孔１００の内側面１００Ａに発光面３２１Ｃと対向して配置される。反射部材５００は、発光面３２１Ｃから出光した光を反射する。
【０１４８】
携帯電話機１Ｃは、発光部３００Ｃにより発光された光を発光面３２１Ｃから出光させると共に、出光させた光を反射部材５００で反射させる。これにより、携帯電話機１Ｃは、環状に配置された導光体を有しなくても、第１実施形態と同様の作用効果を奏する。
また、携帯電話機１Ｃは、使用される部品のコストを低減可能に構成される。また、携帯電話機１Ｃは、省スペース化可能に構成される。
【０１４９】
図１２Ｂに示すように、第５実施形態における携帯電話機１Ｄは、発光部３００Ｄを備える。
発光部３００Ｄは、発光体３１０ａからｉと、発光面３２１Ｄを有する光透過性の透過性カバー５２０と、を備える。発光体３１０ａからｉそれぞれは、制御部４１０からの制御に応じて、所定の発光パターンでそれぞれ発光する。
【０１５０】
発光体３１０ａからｉは、貫通孔１００の内側面１００Ａに沿って所定間隔で配置される。
透過性カバー５２０は、内側面１００Ａに沿う環状の光透過性の部材である。透過性カバー５２０は、内側の面に形成される発光面３２１Ｄを有する。透過性カバー５２０は、発光体３１０ａからｉよりも貫通孔１００の中心側に配置される。
発光体３１０ａからｉそれぞれから発光された光は、透過性カバー５２０を透過して、発光面３２１Ｄから出光する。
【０１５１】
ここで、携帯電話機１Ｄは、導光体を有しない。また、携帯電話機１Ｄは、発光体３１０ａからｉそれぞれを任意の位置に配置できる。これにより、携帯電話機１Ｄは、設計上の自由度が高い。
また、携帯電話機１Ｄは、発光体３１０ａからｉそれぞれを異なる発光パターンで発光させることができる。これにより、携帯電話機１Ｄは、発光部３００Ｄにおける発光パターンのバリエーションを多くすることができ、例えば、イベントの種類及び重要度に応じて、発光パターンを調整可能に構成される。
また、携帯電話機１は、ユーザーの位置に応じて、所定位置の発光体を発光させることで、ユーザーにおける認識性を維持した状態で省電力が可能に構成される。
【０１５２】
図１２Ｃに示すように、第６実施形態における携帯電話機１Ｅは、共通の発光体３１０Ｅを有する発光部３００Ｅ及び着信発光部３５０Ｅを備える。
発光部３００Ｅは、共通の発光体としての発光体３１０Ｅと、導光体３２０Ｃとを備える。
着信発光部３５０Ｅは、共通の発光体としての発光体３１０Ｅと、導光体６１０と、を備える。
【０１５３】
共通の発光体である発光体３１０Ｅは、発光体３１０Ｅの導光体３２０Ｅ側に配置される出光面３１１Ｅと、着信発光部３５０Ｅの導光体６１０側に配置される出光面３１２Ｅと、を有する。
発光体３１０Ｅは、出光面３１１Ｅから光を出光させると共に、出光面３１２Ｅから光を出光させる。
そして、出光面３１１Ｅから出光された光は、導光体３２０Ｅに導光されて発光部３１０Ｅの発光面３２１から出光する。更に、出光面３１２Ｅから出光された光は、入光面６１１から導光体６１０に入光すると共に導光体６１０に導光されて、発光面６１２から出光する。
【０１５４】
携帯電話機１Ｅは、共通の一の発光体３１０Ｅにより、発光部３００Ｅを発光させると共に、着信発光部３５０Ｅを発光させる。携帯電話機１Ｅは、使用される部品のコストを低減可能に構成される。また、携帯電話機１Ｃは、省電力が可能に構成される。
ここで、携帯電話機１Ｅは、発光部３００Ｅ及び着信発光部３５０Ｅが複数の発光体を有する場合において、一部の発光体が双方に共通する構成とすることも可能である。
【０１５５】
続けて、図１３より、第７実施形態における携帯電話機１Ｆについて説明する。図１３は、第７実施形態における携帯電話機１Ｆの機能ブロック図である。
【０１５６】
図１３に示すように、第７実施形態における携帯電話機１Ｆは、発光部３００の近傍に配置される照度センサー７００を備える。
照度センサー７００は、周囲の明るさを測定する。照度センサー７００は、検出値を制御部４１０Ｆに出力する。
【０１５７】
制御部４１０Ｆは、第１実施形態と同様に、発光部３００及び着信発光部３５０の発光を制御する。制御部４１０Ｆは、照度センサー７００により検出された検出値に基づいて、発光部を発光／非発光させる。
具体的には、制御部４１０Ｆは、照度センサー７００により検出された検出値が所定値以上である場合、発光部３００を発光させる。つまり、制御部４１０Ｆは、周囲が明るく着信発光部３５０の発光がユーザーに見え難い場合、発光部３００を発光させるよう制御する。
制御部４１０Ｆは、照度センサー７００により検出された検出値が所定値未満である場合、発光部３００を発光させない。つまり、制御部４１０Ｆは、周囲が暗く着信発光部３５０からの発光がユーザーに見えやすい場合、発光部３００を発光させないよう制御する。
【０１５８】
以上、好適な実施形態について説明したが、本発明は上述した実施形態に限定されることなく種々の形態で実施することができる。例えば、本実施形態において、携帯電子機器として携帯電話機１について説明しているが、これに限定されず、携帯電子機器は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１５９】
また、上述の実施形態において、筐体が１つであるストレートタイプの携帯電話機について説明しているが、携帯電子機器は、このような携帯電話機に限定されない。本発明の携帯電子機器として、複数の筐体を有するタイプも含まれる。例えば、携帯電子機器は、２つの筐体が連結部を介して折りたたみ可能に構成された折り畳みタイプであってもよい。また、携帯電子機器は、２つの筐体が重ね合わされた状態から一方の筐体を一方向にスライド移動可能に構成されたスライドタイプであってもよい。また、携帯電子機器は、２つの筐体が重ね合された状態から重ね合わせ方向に沿う軸線を中心に一方の筐体を回転可能に構成された回転（ターン）タイプであってもよい。また、携帯電子機器は、いわゆる２軸ヒンジタイプであってもよい。
【０１６０】
また、上述の実施形態において、ハードキー群１１は表面２Ａ側に配置されているが、これに限定されず、裏面２Ｂ側に配置されていてもよい。
【０１６１】
また、上述の実施形態において、発光部における発光面が貫通孔等の内側面と面一になるよう構成されているが、発光面の配置は、これに限定されない。
例えば、発光面は、内側面から突出して配置されてもよい。この場合、発光部の視認性及び発光部から発光された光の視認性が向上するので好ましい。
また、発光面は、内側面から窪んだ位置に配置されていてもよい。この場合、ストラップの紐等が発光面に接触しにくいので、発光部の破損等が抑制されるので好ましい。
【０１６２】
また、上述の実施形態において、貫通孔１００にはコード部材等が挿通されているが、これに限定されない。例えば、貫通孔１００には、壁から突出する棒部材が挿通されてもよい。この場合、携帯電話機は、壁掛け可能に構成される。
また、貫通孔１００には、所定物を詰めておいてもよい。例えば、貫通孔１００には、所定の光透過部材が挿入されてもよい。
【０１６３】
例えば、図１４により、貫通孔１００に光透過性部材が挿入された態様について説明する。図１４は、第１実施形態における携帯電話機１の貫通孔に光透過部材が挿入された状態を説明する図である。
【０１６４】
図１４に示すよう、携帯電話機１は、貫通孔１００に一端側が挿入された光透過部材８００を有する。
光透過部材８００は、発光部３００から発光された光を他端側に導光すると共に、導光した光を外周から外部に出光させる。光透過部材８００は、発光部３００が発光すると、全体が光るように発光する。光透過部材８００は、発光体３１０が発光すると、全体が光るように発光する。
【０１６５】
これにより、携帯電話機は、発光部３００における発光を更に視認しやすいように構成される。ここで、光透過部材は、色、形状、表面のカット形状及び光透過性を自由に設定できる。また、光透過部材は、他端部から光を集中的に出光するよう構成されることで、ライトとして機能させることもできる。また、光透過部材は、内部に流動体を含ませることで、発光パターンを変えることもできる。また、光透過部材は、柔軟に変形可能な材料で構成されることで、形状を変更可能にすることもできる。
【符号の説明】
【０１６６】
１          携帯電話機
２          筐体
２Ａ        表面（第１面）
２Ｂ        裏面（第２面）
２Ｃ        側面（第３面）
１１        ハードキー群（操作部）
１７        インターフェース（コネクタ部）
２１        タッチスクリーンディスプレイ
５０        バッテリー（バッテリー部材）
１００      貫通孔
１００Ａ    内側面
１５０      窪み部
１５１      第１内側面
２００      突出部
２０１      第２内側面
２０１      外側面
３００      発光部
３１０      発光体
３２０      導光体
３２１      発光面
ＢＤ        本体部
Ｘ          短手方向
Ｙ          長手方向
Ｚ          厚さ方向
【図１】
0005932496.tif 000002
【図２】
0005932496.tif 000003
【図３】
0005932496.tif 000004
【図４】
0005932496.tif 000005
【図５】
0005932496.tif 000006
【図６】
0005932496.tif 000007
【図７】
0005932496.tif 000008
【図８】
0005932496.tif 000009
【図９Ａ】
0005932496.tif 000010
【図９Ｂ】
0005932496.tif 000011
【図９Ｃ】
0005932496.tif 000012
【図１０Ａ】
0005932496.tif 000013
【図１０Ｂ】
0005932496.tif 000014
【図１１Ａ】
0005932496.tif 000015
【図１１Ｂ】
0005932496.tif 000016
【図１２Ａ】
0005932496.tif 000017
【図１２Ｂ】
0005932496.tif 000018
【図１２Ｃ】
0005932496.tif 000019
【図１３】
0005932496.tif 000020
【図１４】
0005932496.tif 000021